(57)【要約】【目的】  本発明は、押出成形を用いて安価に製造可能なバーベキューグリル用のフレームを提供する。【構成】  フレームＦはＺ−Ｚ’方向に延びた筒である。フレームＦのフレーム１００ａ、１００ｂは同一の半筒状である。フレーム１００ａは、先端１１１ａ１、１１２ａ１と、係合部１２０ａ、１３０ａとを有する。フレーム１００ｂは、先端１１１ｂ１、１１２ｂ１と、係合部１２０ｂ、１３０ｂとを有する。係合部１２０ａ、１２０ｂは、先端１１１ａ１、１１１ｂ１に設けられ且つ当該先端のＺ方向の端からＺ’方向の端にかけて延びている。係合部１３０ａ、１３０ｂは、先端１１２ａ１、１１２ｂ１に設けられ且つ当該先端のＺ方向の端からＺ’方向の端にかけて延びている。係合部１２０ａと係合部１３０ｂとが、係合部１３０ａと係合部１２０ｂとが係合している。【選択図】      図１Ａ
2016049316.tif 000002
【特許請求の範囲】
【請求項１】
第１方向に延びた筒であるバーベキューグリル用のフレームであって、
同一の半筒状である第１、第２フレームを備えており、
前記第１、第２フレームは、前記第１方向に直交する第２方向の第１、第２先端と、
前記第１先端に設けられており且つ当該第１先端の前記第１方向の一端から他端にかけて前記第１方向に延びた第１係合部と、
前記第２先端に設けられており且つ当該第２先端の前記第１方向の一端から他端にかけて前記第１方向に延びた第２係合部とを有しており、
前記第１フレームの前記第１係合部と前記第２フレームの前記第２係合部とが係合し、前記第１フレームの前記第２係合部と前記第２フレームの前記第１係合部とが係合しているバーベキューグリル用のフレーム。
【請求項２】
請求項１記載のバーベキューグリル用のフレームにおいて、
前記第１係合部は鉤であり、
前記第２係合部は、前記第１係合部に対応する形状の鉤であるバーベキューグリル用のフレーム。
【請求項３】
請求項１〜２の何れかに記載のバーベキューグリル用のフレームにおいて、
前記第１、第２フレームは、内面と、
前記内面上に設けられており且つ当該内面の前記第１方向の一端から他端にかけて延びた一対の第１レールと、
前記内面上に前記第１レールに対向するように設けられており且つ当該内面の前記第１方向の一端から他端にかけて延びた一対の第２レールとを更に有しているバーベキューグリル用のフレーム。
【請求項４】
請求項１〜２の何れかに記載のバーベキューグリル用のフレームにおいて、
前記第１、第２フレームは、内面と、
前記内面上に設けられており且つ当該内面の前記第１方向の一端から他端にかけて延びた一対の第１レールと、
前記内面上に設けられており且つ当該内面の前記第１方向の一端から他端にかけて延びた一対の第２レールとを更に有しており、
前記第１、第２フレームの前記第１レール同士が互いに対向し、前記第１、第２フレームの前記第２レール同士が互いに対向しているバーベキューグリル用のフレーム。
【請求項５】
請求項３記載のバーベキューグリル用のフレームにおいて、
前記第１、第２フレームは、前記内面上の前記第１レールの少なくとも一方の隣に設けられており且つ当該第１レール側に湾曲又は折り曲げられた第１突起と、
前記内面上の前記第２レールの少なくとも一方の隣に設けられており且つ当該第２レール側に湾曲又は折り曲げられた第２突起とを更に有しており、
前記第１フレームの前記第１突起と前記第１レールとが第１懸架部材の第１端部を保持可能であり、前記第１フレームの前記第２突起と前記第２レールとが前記第１懸架部材の第２端部を保持可能であり、
前記第２フレームの前記第１突起と前記第１レールとが第２懸架部材の第１端部を保持可能であり、前記第２フレームの前記第２突起と前記第２レールとが前記第２懸架部材の第２端部を保持可能であるバーベキューグリル用のフレーム。
【請求項６】
請求項４記載のバーベキューグリル用のフレームにおいて、
前記第１、第２フレームは、前記内面上の前記第１レールの少なくとも一方の隣に設けられており且つ当該第１レール側に湾曲又は折り曲げられた第１突起と、
前記内面上の前記第２レールの少なくとも一方の隣に設けられており且つ当該第２レール側に湾曲又は折り曲げられた第２突起とを更に有しており、
前記第１フレームの前記第１突起と前記第１レールとが、第１懸架部材の第１端部を保持可能であり、前記第２フレームの前記第１突起と前記第１レールとが、前記第１懸架部材の第２端部を保持可能であり、
前記第１フレームの前記第２突起と前記第２レールとが、第２懸架部材の第１端部を保持可能であり、前記第２フレームの前記第２突起と前記第２レールとが、前記第２懸架部材の第２端部を保持可能であるバーベキューグリル用のフレーム。
【請求項７】
請求項５〜６の何れかに記載のバーベキューグリル用のフレームにおいて、
前記第１突起は、前記内面の前記第１方向の一端から他端にかけて延びており、
前記第２突起は、前記内面の前記第１方向の一端から他端にかけて延びているバーベキューグリル用のフレーム。
【請求項８】
請求項１〜２の何れかに記載のバーベキューグリル用のフレームにおいて、
前記第１、第２フレームは、内面と、
前記内面に設けられており且つ当該内面の前記第１方向の一端から他端にかけて延びた第１レール溝と、
前記内面に前記第１レール溝に対向するように設けられており且つ当該内面の前記第１方向の一端から他端にかけて延びた第２レール溝とを有しているバーベキューグリル用のフレーム。
【請求項９】
請求項１〜２の何れかに記載のバーベキューグリル用のフレームにおいて、
前記第１、第２フレームは、内面と、
前記内面に設けられており且つ当該内面の前記第１方向の一端から他端にかけて延びた第１レール溝と、
前記内面に設けられており且つ当該内面の前記第１方向の一端から他端にかけて延びた第２レール溝とを有しており、
前記第１、第２フレームの前記第１レール溝同士が互いに対向し、前記第１、第２フレームの前記第２レール溝同士が互いに対向しているバーベキューグリル用のフレーム。
【請求項１０】
請求項１〜９の何れかに記載のバーベキューグリル用のフレームと、
前記フレームの前記第１フレーム及び前記第２フレームの底に固定された底板とを備えているバーベキューグリル。
【請求項１１】
請求項１０記載のバーベキューグリルにおいて、
前記底板は、前記フレームの前記第１フレームの底に固定された第１底板と、
前記フレームの前記第２フレームの底に固定された第２底板とを有しているバーベキューグリル。
【請求項１２】
請求項３又は５記載のバーベキューグリル用のフレームと、
前記フレームの前記第１フレーム及び前記第２フレームの底に固定された底板と、
火床とを備えており、
前記火床は、前記フレームの前記第１フレームの前記第１レール間に前記第１方向に移動自在に挿入される第１ランナーと、
前記フレームの前記第１フレームの前記第２レール間に前記第１方向に移動自在に挿入される第２ランナーと、
前記フレームの前記第２フレームの前記第１レール間に前記第１方向に移動自在に挿入される第３ランナーと、
前記フレームの前記第２フレームの前記第２レール間に前記第１方向に移動自在に挿入される第４ランナーとを有しているバーベキューグリル。
【請求項１３】
請求項４又は６記載のバーベキューグリル用のフレームと、
前記フレームの前記第１フレーム及び前記第２フレームの底に固定された底板と、
火床とを備えており、
前記火床は、前記フレームの前記第１フレームの前記第１レール間に前記第１方向に移動自在に挿入される第１ランナーと、
前記フレームの前記第２フレームの前記第１レール間に前記第１方向に移動自在に挿入される第２ランナーと、
前記フレームの前記第１フレームの前記第２レール間に前記第１方向に移動自在に挿入される第３ランナーと、
前記フレームの前記第２フレームの前記第２レール間に前記第１方向に移動自在に挿入される第４ランナーとを有しているバーベキューグリル。
【請求項１４】
請求項８記載のバーベキューグリル用のフレームと、
前記フレームの前記第１フレーム及び前記第２フレームの底に固定された底板と、
火床とを備えており、
前記火床は、前記フレームの前記第１フレームの前記第１レール溝に前記第１方向に移動自在に挿入される第１ランナーと、
前記フレームの前記第１フレームの前記第２レール溝に前記第１方向に移動自在に挿入される第２ランナーと、
前記フレームの前記第２フレームの前記第１レール溝に前記第１方向に移動自在に挿入される第３ランナーと、
前記フレームの前記第２フレームの前記第２レール溝に前記第１方向に移動自在に挿入される第４ランナーとを有しているバーベキューグリル。
【請求項１５】
請求項９記載のバーベキューグリル用のフレームと、
前記フレームの前記第１フレーム及び前記第２フレームの底に固定された底板と、
火床とを備えており、
前記火床は、前記フレームの前記第１フレームの前記第１レール溝に前記第１方向に移動自在に挿入される第１ランナーと、
前記フレームの前記第２フレームの前記第１レール溝に前記第１方向に移動自在に挿入される第２ランナーと、
前記フレームの前記第１フレームの前記第２レール溝に前記第１方向に移動自在に挿入される第３ランナーと、
前記フレームの前記第２フレームの前記第２レール溝に前記第１方向に移動自在に挿入される第４ランナーとを有しているバーベキューグリル。
【発明の詳細な説明】
【技術分野】
【０００１】
本発明は、バーベキューグリル用のフレーム及びこれを備えたバーベキューグリルに関する。
【背景技術】
【０００２】
下記特許文献１には従来のバーベキューグリルが記載されている。このバーベキューグリルは、金属製の箱型のフレームに複数の脚が取り付けられた構成となっている。
【先行技術文献】
【特許文献】
【０００３】
【特許文献１】特開２００５−３１２８０３号公報
【発明の概要】
【発明が解決しようとする課題】
【０００４】
本発明者は、金属の押出成形を用いてバーベキューグリル用のフレームを製造することに思い至った。しかし、バーベキューグリル用のフレームが大型化すると、押出成形用の金型も大型化し、これが押出成形用の金型のコスト高に繋がる。
【０００５】
本発明は、上記事情に鑑みて創案されたものであって、その目的とするところは、押出成形を用いて安価に製造可能なバーベキューグリル用のフレーム及びこれを備えたバーベキューグリルを提供することにある。
【課題を解決するための手段】
【０００６】
上記課題を解決するために、本発明のバーベキューグリル用のフレームは、第１方向に延びた筒である。このフレームは、同一の半筒状である第１、第２フレームを備えている。第１、第２フレームは、第１、第２先端と、第１、第２係合部とを有している。第１、第２先端は、第１方向に直交する第２方向の先端である。第１係合部は、第１先端に設けられており且つ当該第１先端の第１方向の一端から他端にかけて第１方向に延びている。第２係合部は、第２先端に設けられており且つ当該第２先端の第１方向の一端から他端にかけて第１方向に延びている。第１フレームの第１係合部と第２フレームの第２係合部とが係合している。第１フレームの第２係合部と第２フレームの第１係合部とが係合している。
【０００７】
このような態様のバーベキューグリル用のフレームは、押出成形を用いて安価に製造可能である。第１、第２フレームが同一の半筒状であるため、当該バーベキューグリル用のフレームを作成するための押出成形用の金型の大きさを半分にすることができる。よって、フレーム用の金型費用の低減が図られる。しかも、第１フレームの第１係合部を第２フレームの第２係合部に係合させ、第１フレームの第２係合部を第２フレームの第１係合部に係合させるだけで、間単に第１、第２フレームを組み合わせることができる。よって、フレームが第１、第２フレームを有する構成であったとしても、フレームの組み立て費用が増大することを抑制することができる。
【０００８】
第１係合部は鉤とすることが可能である。第２係合部は、第１係合部に対応する形状の鉤とすることが可能である。このような態様のバーベキューグリル用のフレームによる場合、より簡単に第１、第２フレームを組み合わせることができる。
【０００９】
第１、第２フレームは、内面と、一対の第１レールと、一対の第２レールとを更に有する構成とすることが可能である。第１レールは、内面上に設けられており且つ当該内面の第１方向の一端から他端にかけて延びている。第２レールは、内面上に第１レールに対向するように設けられており且つ当該内面の第１方向の一端から他端にかけて延びている。
【００１０】
このような態様のバーベキューグリル用のフレームによる場合、火床を簡単に取り付けることが可能になる。具体的には以下の通りである。第１フレームの第１、第２レールに火床の第１、第２ランナーを差込み、第２フレームの第１、第２レールに火床の第３、第４ランナーを差し込むだけで、火床が第１、第２フレームに取り付けられる。しかも、当該フレームは、押出成形を用いて安価に製造可能である。なぜなら、第１、第２レールが内面の第１方向の一端から他端にかけて延びているからである。
【００１１】
又は、第１、第２フレームの第１レール同士が互いに対向し、第１、第２フレームの第２レール同士が互いに対向した構成とすることが可能である。
【００１２】
このような態様のバーベキューグリル用のフレームによる場合、火床を簡単に取り付けることが可能になる。具体的には以下の通りである。第１、第２フレームの第１レールに火床の第１、第２ランナーを差込み、第１、第２フレームの第２レールに火床の第３、第４ランナーを差し込むだけで、火床が第１、第２フレームに取り付けられる。しかも、当該フレームは、押出成形を用いて安価に製造可能である。なぜなら、第１、第２レールが内面の第１方向の一端から他端にかけて延びているからである。
【００１３】
第１、第２フレームは、第１突起と、第２突起とを更に有する構成とすることが可能である。第１突起は、内面上の第１レールの少なくとも一方の隣に設けられた構成とすることが可能である。第２突起は、内面上の第２レールの少なくとも一方の隣に設けられた構成とすることが可能である。第１フレームの第１突起と第１レールとが第１懸架部材の第１端部を保持可能である構成とすることが可能である。第１フレームの第２突起と第２レールとが第１懸架部材の第２端部を保持可能である構成とすることが可能である。第２フレームの第１突起と第１レールとが第２懸架部材の第１端部を保持可能である構成とすることが可能である。第２フレームの第２突起と第２レールとが第２懸架部材の第２端部を保持可能である構成とすることが可能である。
【００１４】
このような態様のバーベキューグリル用のフレームの利便性が向上する。その理由は以下の通りである。第１懸架部材の第１端部を第１フレームの第１突起と第１レールとに保持させ、第１懸架部材の第２端部を第１フレームの第２突起と第２レールとに保持させる。第２懸架部材の第１端部を第２フレームの第１突起と第１レールとに保持させ、当該第２懸架部材の第２端部を第２フレームの第２突起と第２レールとに保持させる。この第１、第２懸架部材上で串焼き等を加熱調理することが可能になる。
【００１５】
又は、第１フレームの第１突起と第１レールとが、第１懸架部材の第１端部を保持可能である構成とすることが可能である。第２フレームの第１突起と第１レールとが、第１懸架部材の第２端部を保持可能である構成とすることが可能である。第１フレームの第２突起と第２レールとが、第２懸架部材の第１端部を保持可能である構成とすることが可能である。第２フレームの第２突起と第２レールとが、第２懸架部材の第２端部を保持可能である構成とすることが可能である。
【００１６】
このような態様のバーベキューグリル用のフレームの利便性が向上する。その理由は以下の通りである。第１懸架部材の第１端部を第１フレームの第１突起と第１レールとに保持させ、第１懸架部材の第２端部を第２フレームの第１突起と第１レールとに保持させる。第２懸架部材の第１端部を第１フレームの第２突起と第２レールとに保持させ、第２懸架部材の第２端部を第２フレームの第２突起と第２レールとに保持させる。この第１、第２懸架部材上で串焼き等を加熱調理することが可能になる。
【００１７】
第１突起は、内面の第１方向の一端から他端にかけて延びた構成とすることが可能である。第２突起は、内面の第１方向の一端から他端にかけて延びた構成とすることが可能である。このような態様のバーベキューグリル用のフレームは、押出成形を用いて安価に製造可能である。なぜなら、第１、第２突起が内面の第１方向の一端から他端にかけて延びているからである。
【００１８】
第１レールは、第１レール溝に置換可能である。第２レールは、第２レール溝に置換可能である。
【００１９】
本発明のバーベキューグリルは、上記した何れかの態様のバーベキューグリル用のフレームと、フレームの第１フレーム及び第２フレームの底に固定された底板とを備えている。底板は、フレームの第１フレームの底に固定された第１底板と、フレームの第２フレームの底に固定された第２底板とを有する構成とすることが可能である。
【００２０】
上記バーベキューグリルは、火床を更に備えた構成とすることが可能である。火床は、第１ランナーと、第２ランナーと、第３ランナーと、第４ランナーとを有する構成とすることが可能である。第１ランナーは、フレームの第１フレームの第１レール間又は第１レール溝に第１方向に移動自在に挿入される構成とすることが可能である。第２ランナーは、フレームの第１フレームの第２レール間又は第２レール溝に第１方向に移動自在に挿入される構成とすることが可能である。第３ランナーは、フレームの第２フレームの第１レール間又は第１レール溝に第１方向に移動自在に挿入される構成とすることが可能である。第４ランナーは、フレームの第２フレームの第２レール間又は第２レール溝に第１方向に移動自在に挿入される構成とすることが可能である。又は、第１ランナーは、フレームの第１フレームの第１レール間又は第１レール溝に第１方向に移動自在に挿入される構成とすることが可能である。第２ランナーは、フレームの第２フレームの第１レール間又は第１レール溝に第１方向に移動自在に挿入される構成とすることが可能である。第３ランナーは、フレームの第１フレームの第２レール間又は第１レール溝に第１方向に移動自在に挿入される構成とすることが可能である。第４ランナーは、フレームの第２フレームの第２レール間又は第２レール溝に第１方向に移動自在に挿入される構成とすることが可能である。
【図面の簡単な説明】
【００２１】
【図１Ａ】本発明の実施例１に係るバーベキューグリルの正面、平面及び右側面から表した斜視図であって、焼き網使用時を示す図である。
【図１Ｂ】前記バーベキューグリルの平面図であって、第１、第２懸架部材使用時を示す図である。
【図２Ａ】前記バーベキューグリル用のフレーム、底板及び脚部の正面、平面及び右側面から表した斜視図である。
【図２Ｂ】前記フレーム、前記底板及び前記脚部の平面図である。
【図２Ｃ】前記フレーム、前記底板及び前記脚部の底面図である。
【図２Ｄ】前記フレーム、前記底板及び前記脚部の正面図である。
【図２Ｅ】前記フレーム、前記底板及び前記脚部の左側面図である。
【図２Ｆ】前記フレーム、前記底板及び前記脚部の図２Ｂ中の２Ｆ−２Ｆ端面図である。
【図３】前記フレームの図２Ｄ中の３−３端面図である。
【図４】前記フレームの分解斜視図である。
【発明を実施するための形態】
【００２２】
以下、本発明の実施例１に係るバーベキューグリルＧについて図１Ａ〜図４を参照しつつ説明する。バーベキューグリルＧは、上記フレームＦと、底板２００と、複数の脚部３００と、火床４００と、焼き網５００と、第１懸架部材６００ａと、第２懸架部材６００ｂと、灰受けプレート７００とを備えている。以下、バーベキューグリルＧの各構成要素について詳しく説明する。なお、図１Ａ及び図２Ａ中のＺ−Ｚ’方向は、フレームＦの中心軸の軸方向に相当し且つ特許請求の範囲の第１方向に相当する。図１Ａ及び図２Ａ中のＹ−Ｙ’方向は、Ｚ−Ｚ’方向に対して直交しており且つ特許請求の範囲の第２方向に相当している。図１Ａ及び図２Ａ中のＸ−Ｘ’方向は、Ｚ−Ｚ’方向及びＹ−Ｙ’方向に直交している。
【００２３】
フレームＦは、Ｙ−Ｙ’方向の延びたアルミ製の角筒である。フレームＦは、第１、第２フレーム１００ａ、１００ｂを備えている。第１、第２フレーム１００ａ、１００ｂは、フレームＦが当該フレームＦの中心軸に沿って半分に切断された同一の半角筒状である。第１、第２フレーム１００ａ、１００ｂは、アルミ等の金属をＺ−Ｚ’方向に相当する方向に押出成形によって、作成される。
【００２４】
第１フレーム１００ａは、フレーム本体１１０ａと、第１係合部１２０ａと、第２係合部１３０ａと、一対の第１レール１４１ａ、１４２ａと、一対の第２レール１５１ａ、１５２ａと、一対の第１突起１６１ａ、１６２ａと、一対の第２突起１７１ａ、１７２ａとを有している。
【００２５】
フレーム本体１１０ａは、フレームＦが当該フレームＦの中心軸に沿って半分に切断されたアルミ製の半角筒である。フレーム本体１１０ａは、アーム１１１ａ、１１２ａと、中間部１１３ａとを有している。アーム１１１ａ、１１２ａは、Ｙ−Ｙ’方向に延びるアルミ製の板である。アーム１１１ａは、Ｙ−Ｙ’方向の先端１１１ａ１（特許請求の範囲の第１先端に相当する。）及び基端を有している。アーム１１２ａは、Ｙ−Ｙ’方向の先端１１２ａ１（特許請求の範囲の第２先端に相当する。）及び基端を有している。アーム１１２ａのＹ−Ｙ’方向の寸法は、後記の通り第２係合部１３０ａが第２フレーム１００ｂの第１係合部１２０ｂに対応した形状との鉤とするために、アーム１１１ａのＹ−Ｙ’方向のＹ−Ｙ’方向の寸法よりも小さい。先端１１１ａ１、１１２ａ１は、フレーム本体１１０ａのＹ−Ｙ’方向の先端でもある。中間部１１３ａは、アーム１１１ａの基端とアーム１１２ａの基端とを一体的に連結するアルミ製の板である。
【００２６】
第１係合部１２０ａは、フレーム本体１１０ａの先端１１１ａ１に設けられた鉤であって、先端１１１ａ１のＺ方向の端（一端）からＺ’方向（他端）にかけてＺ−Ｚ’方向に延びている。
【００２７】
第２係合部１３０ａは、フレーム本体１１０ａの先端１１２ａ１に設けられた形状の鉤であって、先端１１２ａ１のＺ方向の端（一端）からＺ’方向（他端）にかけてＺ−Ｚ’方向に延びている。
【００２８】
第１レール１４１ａ、１４２ａは、フレーム本体１１０ａのアーム１１１ａの内面上に設けられた矩形状の突脈である。第１レール１４１ａ、１４２ａは、アーム１１１ａの内面のＺ方向の端（一端）からＺ’方向（他端）にかけてＺ−Ｚ’方向に平行に延びている。
【００２９】
第１突起１６１ａは、第１レール１４１ａの隣（Ｙ’方向側）に間隔をあけて位置するように、フレーム本体１１０ａのアーム１１１ａの内面上に設けられている。第１突起１６２ａは、第１レール１４２ａの隣（Ｙ方向側）に間隔をあけて位置するように、フレーム本体１１０ａのアーム１１１ａの内面上に設けられている。換言すると、第１レール１４１ａ、１４２ａがアーム１１１ａの内面上の第１突起１６１ａ、１６２ａの間に設けられている。第１突起１６１ａは、アーム１１１ａの内面のＺ方向の端（一端）からＺ’方向（他端）にかけてＺ−Ｚ’方向に平行に延び且つ第１レール１４１ａ側に湾曲した円弧状の突脈である。第１突起１６２ａは、アーム１１１ａの内面のＺ方向の端（一端）からＺ’方向（他端）にかけてＺ−Ｚ’方向に平行に延び且つ第１レール１４２ａ側に湾曲した円弧状の突脈である。
【００３０】
第２レール１５１ａ、１５２ａは、第１レール１４１ａ、１４２ａに対向するように、フレーム本体１１０ａのアーム１１２ａの内面上に設けられた矩形状の突脈である。第２レール１５１ａ、１５２ａは、アーム１１２ａの内面のＺ方向の端（一端）からＺ’方向（他端）にかけてＺ−Ｚ’方向に平行に延びている。
【００３１】
第２突起１７１ａは、第２レール１５１ａの隣（Ｙ’方向側）に間隔をあけて位置するように、フレーム本体１１０ａのアーム１１２ａの内面上に設けられている。第２突起１７２ａは、第２レール１５２ａの隣（Ｙ方向側）に間隔をあけて位置するように、フレーム本体１１０ａのアーム１１２ａの内面上に設けられている。換言すると、第２レール１５１ａ、１５２ａがアーム１１２ａの内面上の第２突起１７１ａ、１７２ａの間に設けられている。第２突起１７１ａは、アーム１１２ａの内面のＺ方向の端（一端）からＺ’方向（他端）にかけてＺ−Ｚ’方向に平行に延び且つ第２レール１５１ａ側に湾曲した円弧状の突脈である。第２突起１７２ａは、アーム１１２ａの内面のＺ方向の端（一端）からＺ’方向（他端）にかけてＺ−Ｚ’方向に平行に延び且つ第２レール１５２ａ側に湾曲した円弧状の突脈である。
【００３２】
第２フレーム１００ｂは、上記の通り第１フレーム１００ａと同一形状であるので、第１フレーム１００ａと重複する説明は省略する。第２フレーム１００ｂは、フレーム本体１１０ｂと、第１係合部１２０ｂと、第２係合部１３０ｂと、一対の第１レール１４１ｂ、１４２ｂと、一対の第２レール１５１ｂ、１５２ｂと、一対の第１突起１６１ｂ、１６２ｂと、一対の第２突起１７１ｂ、１７２ｂとを有している。
【００３３】
フレーム本体１１０ｂは、フレームＦが当該フレームＦの中心軸に沿って半分に切断された残りのアルミ製の半角筒である。フレーム本体１１０ｂは、フレーム本体１１０ａと同じ構成である。フレーム本体１１０ｂは、アーム１１１ｂ、１１２ｂと、中間部１１３ｂとを有している。
【００３４】
第１係合部１２０ｂはアーム１１１ｂの先端１１１ｂ１に設けられている。第１係合部１２０ｂは第１係合部１２０ａと同一形状であり、且つ第２係合部１３０ａに対応した鉤である。第１係合部１２０ｂが第２係合部１３０ａに係合している。第２係合部１３０ｂはアーム１１２ｂの先端１１２ｂ１に設けられている。第２係合部１３０ｂは、第２係合部１３０ａと同一形状であり、且つ第１係合部１２０ａに対応した鉤である。第２係合部１３０ｂは第１係合部１２０ａに係合している。このように第１、第２係合部１２０ｂ、１３０ａが係合され、第１、第２係合部１２０ａ、１３０ｂが係合されることによって、第１、第２フレーム１００ａ、１００ｂが組み合わされ、角筒状のフレームＦを構成する。
【００３５】
底板２００は、図２Ｂ、図２Ｃ及び図２Ｆに示されるように、第１底板２００ａと、第２底板２００ｂとを有している。第１底板２００ａは、第１フレーム１００ａをＺ’方向側から閉塞する金属板である。第１底板２００ａは、支持台２１０ａを有している。支持台２１０ａは、垂直板と、水平板とを有している。支持台２１０ａの垂直板は、第１底板２００ａの第１フレーム１００ａの中間部１１３ａ側の端からＺ方向に延びている。垂直板が第１フレーム１００ａの中間部１１３ａに固定されている。支持台２１０ａの水平板は、垂直板のＺ方向の端から第１底板２００ａに対して略平行に延びている。
【００３６】
第２底板２００ｂは、第２フレーム１００ｂをＺ’方向側から閉塞する金属板である。第２底板２００ｂは、支持台２１０ｂと、段差部２２０ｂとを有している。支持台２１０ｂは、垂直板と、水平板とを有している。支持台２１０ｂの垂直板は、第２底板２００ｂの第２フレーム１００ｂの中間部１１３ｂ側の端（第１端）からＺ方向に延びている。垂直板が第２フレーム１００ｂの中間部１１３ｂに固定されている。支持台２１０ｂの水平板は、垂直板のＺ方向の端から第２底板２００ｂに対して略平行に延びている。支持台２１０ａ、２１０ｂの水平板上には、灰受けプレート７００（図１Ｂ参照）が設置されている。段差部２２０ｂは、図２Ｆに最も良く示されているように、第１底板２００ａにＺ方向側から当接するような段差を有している。
【００３７】
脚部３００のうちの二つは、図２Ｃに最も良く示されているように第１底板２００ａの底面に固定されている。残りの二つは第２底板２００ｂの底面に固定されている。
【００３８】
火床４００は、図１Ｂに最も良く示されているように、一対の第１プレート４１１、４１２と、一対の第２プレート４２１、４２２と、五徳４３０とを有している。第１プレート４１１、４１２には、Ｚ−Ｚ’方向に延びる一対のスリットが設けられている。第２プレート４２１が第１プレート４１１、４１２の一対のスリットうちの一方のスリットに挿入され、第２プレート４２２が第１プレート４１１、４１２の他方のスリットに挿入されている。これにより、第１プレート４１１、４１２及び第２プレート４２１、４２２が井字状に組み合わされている。
【００３９】
第１プレート４１１のＸ方向の端部（第１ランナー）は、第１フレーム１００ａの第１レール１４１ａ、１４２ａ間にＺ−Ｚ’方向に移動自在に挿入され、灰受けプレート７００に支持されている。第１プレート４１１のＸ’方向の端部（第２ランナー）は、第１フレーム１００ａの第２レール１５１ａ、１５２ａ間にＺ−Ｚ’方向に移動自在に挿入され、灰受けプレート７００に支持されている。
【００４０】
第１プレート４１２のＸ方向の端部（第３ランナー）は、第２フレーム１００ｂの第１レール１４１ｂ、１４２ｂ間にＺ−Ｚ’方向に移動自在に挿入され、灰受けプレート７００に支持されている。第１プレート４１２のＸ’方向の端部（第４ランナー）は、第２フレーム１００ｂの第２レール１５１ｂ、１５２ｂ間にＺ−Ｚ’方向に移動自在に挿入され、灰受けプレート７００に支持されている。
【００４１】
第２プレート４２１、４２２のＺ’方向の端には内側に凸のフランジが設けられている。このフランジに五徳４３０が支持されている。五徳４３０上に炭や薪などの加熱燃料が載置可能である。
【００４２】
焼き網５００は、以下の第１〜第３支持部上の何れかに載置可能である。図１Ａでは、焼き網５００は、第２支持部上に載置されている。焼き網５００が第１支持部上に載置される場合には、第１支持部に対応した外形にすると良い。第１支持部は、フレームＦのフレーム本体１１０ａ、１１０ｂである。第２支持部は、フレームＦの第１レール１４１ａ、１４２ａ、第１レール１４１ｂ、１４２ｂ、第２レール１５１ａ、１５２ａ、第２レール１５１ｂ、１５２ｂ、第１突起１６１ａ、１６２ａ、第１突起１６１ｂ、１６２ｂ、第２突起１７１ａ、１７２ａ、及び第２突起１７１ｂ、１７２ｂである。第３支持部は、火床４００である。なお、焼き網５００は、下記第１、第２懸架部材６００ａ、６００ｂが使用されるときには、第１〜第３支持部の何れか上から取り外される。
【００４３】
第１、第２懸架部材６００ａ、６００ｂは、略Ｕ字状の金属製の棒である。第１、第２懸架部材６００ａ、６００ｂは、第１、第２端部と、中間部とを有している。中間部は、長尺状の棒である。第１端部は中間部の長さ方向の一端から当該中間部に対して略直角に延びている。第２端部は中間部の長さ方向の他端から当該中間部に対して略直角に延びている。
【００４４】
第１突起１６１ａと第１レール１４１ａとアーム１１１ａの内面とにより区画される第１空間が第１懸架部材６００ａの第１端部の外形に対応した形となっている。第１突起１６２ａと第１レール１４２ａとアーム１１１ａの内面とにより区画される第２空間が第１懸架部材６００ａの第１端部の外形に対応した形となっている。第１、第２空間の何れか一方に第１懸架部材６００ａの第１端部が差込み可能となっている。
【００４５】
第２突起１７１ａと第２レール１５１ａとアーム１１２ａの内面とにより区画される第３空間が第１懸架部材６００ａの第２端部の外形に対応した形となっている。第２突起１７２ａと第２レール１５２ａとアーム１１２ａの内面とにより区画される第４空間が第１懸架部材６００ａの第２端部の外形に対応した形となっている。第３、第４空間の何れか一方に第１懸架部材６００ａの第２端部が差込み可能となっている。
【００４６】
第１空間に差し込まれた第１懸架部材６００ａの第１端部は、第１突起１６１ａと第１レール１４１ａとアーム１１１ａの内面とに保持される。第３空間に差し込まれた第１懸架部材６００ａの第２端部は、第２突起１７１ａと第２レール１５１ａとアーム１１２ａの内面とに保持される。これにより、第１懸架部材６００ａが第１、第２突起１６１ａ、１７１ａに懸架される。又は、第２空間に差し込まれた第１懸架部材６００ａの第１端部は、第１突起１６２ａと第１レール１４２ａとアーム１１１ａの内面とに保持される。第４空間に差し込まれた第１懸架部材６００ａの第２端部は、第２突起１７２ａと第２レール１５２ａとアーム１１２ａの内面とに保持される。これにより、第１懸架部材６００ａが第１、第２突起１６２ａ、１７２ａに懸架される。
【００４７】
第１突起１６１ｂと第１レール１４１ｂとアーム１１１ｂの内面とにより区画される第５空間が第２懸架部材６００ｂの第１端部の外形に対応した形となっている。第１突起１６２ｂと第１レール１４２ｂとアーム１１１ｂの内面とにより区画される第６空間が第２懸架部材６００ｂの第１端部の外形に対応した形となっている。第５、第６空間の何れか一方に第２懸架部材６００ｂの第１端部が差込み可能となっている。
【００４８】
第２突起１７１ｂと第２レール１５１ｂとアーム１１２ｂの内面とにより区画される第７空間が第２懸架部材６００ｂの第２端部の外形に対応した形となっている。第２突起１７２ｂと第２レール１５２ｂとアーム１１２ｂの内面とにより区画される第８空間が第２懸架部材６００ｂの第２端部の外形に対応した形となっている。第７、第８空間の何れか一方に第２懸架部材６００ｂの第２端部が差込み可能となっている。
【００４９】
第５空間に差し込まれた第２懸架部材６００ｂの第１端部は、第１突起１６１ｂと第１レール１４１ｂとアーム１１１ｂの内面とに保持される。第７空間に差し込まれた第２懸架部材６００ｂの第２端部は、第２突起１７１ｂと第２レール１５１ｂとアーム１１２ｂの内面とに保持される。これにより、第２懸架部材６００ｂが第１、第２突起１６１ｂ、１７１ｂに懸架される。又は、第６空間に差し込まれた第２懸架部材６００ｂの第１端部は、第１突起１６２ｂと第１レール１４２ｂとアーム１１１ｂの内面とに保持される。第８空間に差し込まれた第２懸架部材６００ｂの第２端部は、第２突起１７２ｂと第２レール１５２ｂとアーム１１２ｂの内面とに保持される。これにより、第２懸架部材６００ｂが第１、第２突起１６２ｂ、１７２ｂに懸架される。
【００５０】
以下、上記した構成のバーベキューグリルＧの組み立て手順について詳しく説明する。まず、第１、第２フレーム１００ａ、１００ｂ及び第１、第２底板２００ａ、２００ｂを用意する。第１、第２底板２００ａ、２００ｂには脚部３００が予め取り付けられている。第１フレーム１００ａの底に第１底板２００ａを固定する。第２フレーム１００ｂの底に第２底板２００ｂを固定する。第１フレーム１００ａの第１係合部１２０ａを第２フレーム１００ｂの第２係合部１３０ｂ内にＺ方向又はＺ’方向から挿入すると共に、第２フレーム１００ｂの第１係合部１２０ｂを第１フレーム１００ａの第２係合部１３０ａ内にＺ方向又はＺ’方向から挿入する。これにより、第１係合部１２０ａと第２係合部１３０ｂとが互いに係合され、第１係合部１２０ｂと第２係合部１３０ａとが互いに係合される。これにより、第１、第２フレーム１００ａ、１００ｂが角筒状のフレームＦを構成する。このとき、第２底板２００ｂの段差部２２０ｂが第１底板２００ａにＺ方向側から当接する。
【００５１】
その後、灰受けプレート７００を用意する。灰受けプレート７００を第１、第２底板２００ａ、２００ｂの支持台２１０ａ、２１０ｂ上に設置する。その後、火床４００を用意する。第１プレート４１１のＸ方向の端部を、第１フレーム１００ａの第１レール１４１ａ、１４２ａ間にＺ方向側から挿入すると共に、第１プレート４１１のＸ’方向の端部を第１フレーム１００ａの第２レール１５１ａ、１５２ａ間にＺ方向側から挿入する。すると、第１プレート４１１が灰受けプレート７００に当接する。第１プレート４１２のＸ方向の端部を、第２フレーム１００ｂの第１レール１４１ｂ、１４２ｂ間にＺ方向側から挿入すると共に、第１プレート４１２のＸ’方向の端部を第２フレーム１００ｂの第２レール１５１ｂ、１５２ｂ間にＺ方向側から挿入する。すると、第１プレート４１２が灰受けプレート７００に当接する。その後、火床４００の第２プレート４２１、４２２を、第１プレート４１１、４１２のスリットに挿入させる。その後、五徳４３０を第２プレート４２１、４２２のフランジ上に載置する。
【００５２】
その後、焼き網５００を用意する。焼き網５００を上記第１〜第３支持部の何れか上に載置する。又は、上記の通り、第１懸架部材６００ａを第１フレーム１００ａの第１、第２突起１６１ａ、１７１ａに懸架させ、第２懸架部材６００ｂを第２フレーム１００ｂの第１、第２突起１６１ｂ、１７１ｂに懸架させる。或いは、第１懸架部材６００ａを第１フレーム１００ａの第１、第２突起１６２ａ、１７２ａに懸架させ、第２懸架部材６００ｂを第２フレーム１００ｂの第１、第２突起１６２ｂ、１７２ｂに懸架させる。
【００５３】
以上のようなバーベキューグリルＧによる場合、以下の技術的特徴及び効果を有する。第１に、フレームＦは押出成形を用いて安価に製造される。その理由は以下の通りである。フレームＦの第１、第２フレーム１００ａ、１００ｂが同一の半筒状であるため、フレームＦを作成するための押出成形用の金型の大きさを半分にすることができる。よって、フレームＦ用の金型費用の低減が図られる。しかも、第１フレーム１００ａの第１係合部１２０ａを第２フレーム１００ｂの第２係合部１３０ｂに係合させ、第１フレーム１００ａの第２係合部１３０ａを第２フレーム１００ｂの第１係合部１２０ｂに係合させるだけで、間単に第１、第２フレーム１００ａ、１００ｂを組み合わせることができる。よって、フレームＦが第１、第２フレーム１００ａ、１００ｂを有する構成であったとしても、フレームＦの組み立て費用が増大することを抑制することができる。
【００５４】
第２に、火床４００を上記の通り簡単にフレームＦに取り付けることができる。第３に、バーベキューグリルＧの利便性が向上する。焼き網５００上で食材を加熱調理するだけでなく、第１、第２懸架部材６００ａ、６００ａを用いて串焼き等の加熱調理を行うことができるからである。
【００５５】
第４に、第１、第２懸架部材６００ａ、６００ａの支持が安定する。第１懸架部材６００ａが、第１、第２フレーム１００ａ、１００ｂに跨がることなく、第１フレーム１００ａの第１、第２突起１６１ａ、１７１ａ又は第１、第２突起１６２ａ、１７２ａに支持されるからである。第２懸架部材６００ｂが、第１、第２フレーム１００ａ、１００ｂに跨がることなく、第２フレーム１００ｂの第１、第２突起１６１ｂ、１７１ｂ又は第１、第２突起１６２ｂ、１７２ｂに支持されるからである。
【００５６】
なお、本発明のフレーム及びバーベキューグリルは、上記実施例に限定されるものではなく、特許請求の範囲の記載範囲において任意に設計変更することが可能である。以下、詳しく述べる。
【００５７】
本発明のフレームは、第１方向に延びた筒であって、上記実施例又は後述する何れかの態様の第１、第２フレームを備えている限り任意に設計変更することが可能である。
【００５８】
本発明の第１、第２フレームは、同一の半筒状であって、上記実施例又は後述する何れかの態様の第１、第２先端及び第１、第２係合部を有している限り任意に設計変更することが可能である。第１、第２フレームは、一つの金型を用いてアルミ以外の金属又は耐熱性を有する材料を押出成形することによって作成可能である。
【００５９】
本発明の第１、第２フレームの第１、第２先端は、上記した何れかの態様の第１、第２フレームの第１方向に直交する第２方向の先端である限り任意に設計変更することが可能である。本発明の第１、第２フレームの第１係合部は、当該第１、第２フレームの第１先端に設けられており且つ当該第１先端の第１方向の一端から他端にかけて第１方向に延びた構成であると良い。本発明の第１、第２フレームの第２係合部は、当該第１、第２フレームの第２先端に設けられており且つ当該第２先端の第１方向の一端から他端にかけて第１方向に延びた構成であると良い。第１フレームの第１係合部と第２フレームの第２係合部とが係合し、第１フレームの第２係合部と第２フレームの第１係合部とが係合していると良い。例えば、第１、第２係合部の何れか一方が係合凸部であり、他方が、係合凸部が係合可能な係合凹部とすることが可能である。
【００６０】
本発明の第１、第２フレームの一対の第１、第２レールは省略可能である。第１、第２レールが省略される場合には、火床が第１、第２底板又は後述する一枚の金属板上に載置される構成としたり、火床が上記した何れかの態様の第１、第２フレームにフックなどを用いて引っ掛けられる構成としたりすることが可能である。また、本発明の第１、第２フレームの第１レール同士が互いに対向するように当該第１、第２フレームの内面上に設けられ、第１、第２フレームの第２レール同士が互いに対向するように当該第１、第２フレームの内面上に設けられた構成とすることが可能である。
【００６１】
上記した何れかの態様の一対の第１、第２レールは、第１、第２レール溝に置換することが可能である。具体的には以下の通りである。第１レール溝は、上記した何れかの態様の第１、第２フレームの内面に設けられており且つ当該内面の第１方向の一端から他端にかけて延びた構成とすることが可能である。第２レール溝は、上記した何れかの態様の第１、第２フレームの内面に第１レール溝に対向するように設けられており且つ当該内面の第１方向の一端から他端にかけて延びた構成とすることが可能である。又は、第１レール溝は、上記した何れかの態様の第１、第２フレームの内面に設けられており且つ当該内面の第１方向の一端から他端にかけて延びた構成とすることが可能である。第２レール溝は、上記した何れかの態様の第１、第２フレームの内面に設けられており且つ当該内面の第１方向の一端から他端にかけて延びた構成とすることが可能である。この場合、第１、第２フレームの第１レール溝同士が互いに対向し、第１、第２フレームの第２レール溝同士が互いに対向する構成とすることが可能である。
【００６２】
本発明の第１、第２フレームの第１突起は、上記した何れかの態様の第１、第２フレームの内面上の第１レールの少なくとも一方の隣に設けられており且つ当該第１レール側に湾曲又は折り曲げられた構成である限り任意に設計変更することが可能である。本発明の第１、第２フレームの第２突起は、上記した何れかの態様の第１、第２フレームの内面上の第２レールの少なくとも一方の隣に設けられており且つ当該第２レール側に湾曲又は折り曲げられた構成である限り任意に設計変更することが可能である。第１フレームの第１突起と第１レールとが第１懸架部材の第１端部を保持可能であり、第１フレームの第２突起と第２レールとが第１懸架部材の第２端部を保持可能である。第２フレームの第１突起と第１レールとが第２懸架部材の第１端部を保持可能であり、第２フレームの第２突起と第２レールとが第２懸架部材の第２端部を保持可能である。又は、上記の通り第１、第２フレームの第１レール同士が互いに対向し、第１、第２フレームの第２レール同士が互いに対向している場合、第１フレームの第１突起と第１レールとが、第１懸架部材の第１端部を保持可能であり、第２フレームの第１突起と第１レールとが、第１懸架部材の第２端部を保持可能である。第１フレームの第２突起と第２レールとが、第２懸架部材の第１端部を保持可能であり、第２フレームの第２突起と第２レールとが、第２懸架部材の第２端部を保持可能である。上記した第１、第２突起は、第１方向に延びる長尺状である必要はない。上記した第１、第２突起は、溶接などで上記した内面に固定される構成とすることが可能である。
【００６３】
本発明の底板は、一枚の金属板で構成することが可能である。この金属板が上記した何れかの態様の第１、第２フレームの底に固定されると良い。また、本発明の第１底板は、上記した何れかの態様の第１フレームの底に固定される限り任意に設計変更することが可能である。本発明の第２底板は、上記した何れかの態様の第２フレームの底に固定される限り任意に設計変更することが可能である。
【００６４】
本発明の火床は、上記した何れかの態様のフレームに直接的又は間接的に指示され得るものである限り任意に設計変更することが可能である。火床は、第１ランナーと、第２ランナーと、第３ランナーと、第４ランナーとを有する構成とすることが可能である。第１ランナーは、上記した何れかの態様の第１フレームの第１レール間又は第１レール溝に第１方向に移動自在に挿入される構成とすることが可能である。第２ランナーは、上記した何れかの態様の第１フレームの第２レール間又は第２レール溝に第１方向に移動自在に挿入される構成とすることが可能である。第３ランナーは、上記した何れかの態様の第２フレームの第１レール間又は第１レール溝に第１方向に移動自在に挿入される構成とすることが可能である。第４ランナーは、上記した何れかの態様の第２フレームの第２レール間又は第２レール溝に第１方向に移動自在に挿入される構成とすることが可能である。
【００６５】
又は、上記の通り第１、第２フレームの第１レール同士又は第１レール溝同士が互いに対向し、第１、第２フレームの第２レール同士又は第２レール溝同士が互いに対向している場合、第１ランナーは、フレームの第１フレームの第１レール間又は第１レール溝に第１方向に移動自在に挿入される構成とすることが可能である。第２ランナーは、フレームの第２フレームの第１レール間又は第１レール溝に第１方向に移動自在に挿入される構成とすることが可能である。第３ランナーは、フレームの第１フレームの第２レール間又は第１レール溝に第１方向に移動自在に挿入される構成とすることが可能である。第４ランナーは、フレームの第２フレームの第２レール間又は第２レール溝に第１方向に移動自在に挿入される構成とすることが可能である。なお、上記した第１〜第４ランナーは、火床の外周面に設けられたレールとすることが可能である。
【００６６】
なお、上記実施例及び設計変形例におけるフレーム及びバーベキューグリルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。
【符号の説明】
【００６７】
Ｇ・・・・・・・・バーベキューグリル
Ｆ・・・・・・・フレーム
１００ａ・・・第１フレーム
１１０ａ・・フレーム本体
１１１ａ・アーム
１１１ａ１・先端（第１先端）
１１２ａ・アーム
１１２ａ１・先端（第２先端）
１１３ａ・中間部
１２０ａ・・第１係合部
１３０ａ・・第２係合部
１４１ａ・・第１レール
１４２ａ・・第１レール
１５１ａ・・第２レール
１５２ａ・・第２レール
１６１ａ・・第１突起
１６２ａ・・第１突起
１７１ａ・・第２突起
１７２ａ・・第２突起
１００ｂ・・・第２フレーム
１１０ｂ・・フレーム本体
１１１ｂ・アーム
１１１ｂ１・先端（第１先端）
１１２ｂ・アーム
１１２ｂ１・先端（第２先端）
１１３ｂ・中間部
１２０ｂ・・第１係合部
１３０ｂ・・第２係合部
１４１ｂ・・第１レール
１４２ｂ・・第１レール
１５１ｂ・・第２レール
１５２ｂ・・第２レール
１６１ｂ・・第１突起
１６２ｂ・・第１突起
１７１ｂ・・第２突起
１７２ｂ・・第２突起
２００・・・・・底板
２００ａ・・・第１底板
２１０ａ・・支持台
２００ｂ・・・第２底板
２１０ｂ・・支持台
２２０ｂ・・段差部
３００・・・・・脚部
４００・・・・・火床
４１１・・・・第１プレート
４１２・・・・第１プレート
４２１・・・・第２プレート
４２２・・・・第２プレート
４３０・・・・五徳
５００・・・・・焼き網
６００ａ・・・・第１懸架部材
６１０ａ・・・第１端部
６２０ａ・・・第２端部
６００ｂ・・・・第２懸架部材
６１０ｂ・・・第１端部
６２０ｂ・・・第２端部
７００・・・・・灰受けプレート
【図１Ａ】
2016049316.tif 000003
【図１Ｂ】
2016049316.tif 000004
【図２Ａ】
2016049316.tif 000005
【図２Ｂ】
2016049316.tif 000006
【図２Ｃ】
2016049316.tif 000007
【図２Ｄ】
2016049316.tif 000008
【図２Ｅ】
2016049316.tif 000009
【図２Ｆ】
2016049316.tif 000010
【図３】
2016049316.tif 000011
【図４】
2016049316.tif 000012